(57)【要約】【課題】ラダーコードの前後の縦コードが相対移動して中段コードが傾動するときに、スラットの傾動動作に遅延が生じず十分な遮蔽性が得られることの可能なブラインド用スラット固定装置を提供する。【解決手段】スラットクリップ１００は、スラット１６に取り付けられ、ラダーコード１４の中段コード１４ｂをスラット１６に係止するためのものであって、スラット１６を支持する中段コード１４ｂを係止する第１係止部１１０と、ラダーコード１４の縦コード１４ａを係止する第２係止部１２０と、を備えたことを特徴とする。かかる構成により、ラダーコードの前後の縦コードが相対移動して中段コードが傾動するときに、スラットの傾動動作に遅延が生じず十分な遮蔽性が得られる。【選択図】図３
2020180434.tif 000002
【特許請求の範囲】
【請求項１】
スラットに取り付けられ、ラダーコードの中段コードを前記スラットに係止するためのブラインド用スラット固定装置であって、
前記スラットを支持する前記中段コードを係止する第１係止部と、前記ラダーコードの縦コードを係止する第２係止部と、を備えたことを特徴とする、ブラインド用スラット固定装置。
【請求項２】
スラットに取り付けられ、ラダーコードの中段コードを前記スラットに係止するためのブラインド用スラット固定装置であって、
前記中段コードは複数の横コードから形成され、
前記複数の横コードは、少なくとも一つの横コードが前記スラットの上下面のうち一方の面に配され、残りの横コードが前記スラットの他方の面に配され、
前記スラットの一方の面に配される前記横コードを係止する第１係止部と、
前記ラダーコードの縦コードを係止する第２係止部と、
前記スラットの他方の面に配される前記横コードを係止する第３係止部と、
を備えたことを特徴とする、ブラインド用スラット固定装置。
【請求項３】
前記第２係止部と前記第３係止部とは、共通の係止片によって構成されるようにしたことを特徴とする、請求項２に記載のブラインド用スラット固定装置。
【請求項４】
前記第２係止部は、前記縦コードを垂下方向に沿って係止するようにしたことを特徴とする、請求項１〜３のいずれかに記載のブラインド用スラット固定装置。
【請求項５】
前記スラットの側縁が当接する支持壁と、前記支持壁から前記スラット側に突出して前記スラットを固定する固定片と、を備えたことを特徴とする、請求項１〜４のいずれかに記載のブラインド用スラット固定装置。
【請求項６】
前記ラダーコードの縦コードが挿通する挿通部を備え、
前記第２係止部は前記挿通部を挿通した前記縦コードを係止することを特徴とする、請求項１〜５のいずれかに記載のブラインド用スラット固定装置。
【発明の詳細な説明】
【技術分野】
【０００１】
本発明は、ブラインド用スラット固定装置に関する。
【背景技術】
【０００２】
従来のブラインド用スラット固定装置としては、特開２０１６−１４２７６号公報（特許文献１）に示されるものがある。この特許文献１に開示されるブラインド用スラット固定装置は、中段コードを木製スラットの下面に密着させる平坦な密着面と、密着面の両側部にそれぞれ設けられ、木製スラットの各長辺を係止する第１の爪及び第２の爪と、第１の爪と第２の爪の間に設けられ、中段コードが挿通する中段コード挿通部と、を備える。密着面には、木製スラットの下面に垂直な方向及び木製スラットの幅方向に密着面がそれぞれ可撓性を有せしめるために第１の爪と第２の爪の近傍に一対のスリットが形成される。スリットと第１の爪及び第２の爪との間にある密着面は、中段コードを第１の爪と第２の爪との間で挟み付けて固定する固定部である。一対のスリット間にある密着面は、中段コードを木製スラットの下面に押し付ける弾性部である。
【０００３】
このような構成によれば、ブラインド用スラット固定装置は、密着面がスリットによって可撓性を有するため、木製のスラットであるために生じるスラットの形状の経時変化やスラット毎に異なる寸法のばらつきを密着面の変形によって吸収することができる。また、密着面が固定部と弾性部を有することにより、中段コードを固定部で挟み付けるとともに、弾性部で押し付けることで、強固に保持することができる。このため、ブラインド用スラット固定装置は、木製のスラットに常時最適な状態で取り付けられることが可能となるという効果を有する。
【先行技術文献】
【特許文献】
【０００４】
【特許文献１】特開２０１６−１４２７６号公報
【発明の概要】
【発明が解決しようとする課題】
【０００５】
ところで、上記のような従来のブラインド用スラット固定装置においては、一般的に中段コードの幅はスラットの幅よりも長く形成されるため、スラット固定装置の固定部よりも外側には、ラダーコードの縦コードに連結された中段コードの余剰部分が存在する。このため、前後の縦コードが相対移動して中段コードが傾動するときに、この余剰部分が弛みとなってすぐに中段コードが縦コードの移動に追随できない。よって、スラットの傾動動作に遅延が生じるため、前後の縦コードの移動量に比して十分な遮蔽性が得られないという課題があった。
【０００６】
そこで本発明は、このような問題に鑑みてなされたもので、その目的とするところは、ラダーコードの前後の縦コードが相対移動して中段コードが傾動するときに、スラットの傾動動作に遅延が生じず十分な遮蔽性が得られることの可能なブラインド用スラット固定装置を提供することにある。
【課題を解決するための手段】
【０００７】
上記課題を解決するために、本発明の第１の観点によれば、スラットに取り付けられ、ラダーコードの中段コードを前記スラットに係止するためのブラインド用スラット固定装置であって、前記スラットを支持する前記中段コードを係止する第１係止部（中段コード係止部）と、前記ラダーコードの縦コードを係止する第２係止部（縦コード係止部）と、を備えたことを特徴とする、ブラインド用スラット固定装置が提供される。
【０００８】
かかる構成によれば、ラダーコードの縦コードを第２係止部が係止するため、縦コードとともにスラット固定装置が移動する。よって、第２係止部がラダーコードの傾動をスラットに対して効率よく伝達することができ、ラダーコード傾動時のスラットの回転追随性が向上する。
【０００９】
また、本発明の第２の観点によれば、スラットに取り付けられ、ラダーコードの中段コードを前記スラットに係止するためのブラインド用スラット固定装置であって、前記中段コードは複数の横コードから形成され、前記複数の横コードは、少なくとも一つの横コードが前記スラットの上下面のうち一方の面に配され、残りの横コード（他の全ての横コード）が前記スラットの他方の面に配され、前記スラットの一方の面に配される前記横コードを係止する第１係止部と、前記ラダーコードの縦コードを係止する第２係止部と、前記スラットの他方の面に配される前記横コードを係止する第３係止部と、を備えたことを特徴とする、ブラインド用スラット固定装置が提供される。
【００１０】
かかる構成によれば、第１係止部がスラットの一方の面にて横コードを係止し、第３係止部がスラットの他方の面にて横コードを係止することで、スラットを上下の横コード間に通した（中段通し）仕様において、上下の横コードそれぞれがスラットに係止される。よって、第１の観点の効果に加えて、ラダーコード傾動時にスラットと上下の横コードとが一体に回転するため、スラットの遮蔽性が向上する。
【００１１】
本発明は様々な応用が可能である。例えば、前記第２係止部と前記第３係止部は、共通の係止片によって構成されるようにしてもよい。第２係止部と第３係止部を共通の係止片によって構成することで、スラット固定装置の構造を簡素化できる。また、スラット固定装置は、縦コードと中段コードとの連結部付近を係止することになるため、ラダーコード傾動時のスラットの回転追随性がさらに向上する。
【００１２】
また、前記第２係止部は、前記縦コードを垂下方向に沿って係止するようにしてもよい。ラダーコードの縦コードは第２係止部に係止されながらも垂下方向に沿って直線的に導かれ、縦コードの経路が変わらないため、上下方向のスラット間隔が不均一化することを防止できる。
【００１３】
また、前記スラットの側縁が当接する支持壁と、前記支持壁から前記スラット側に突出して前記スラットを固定する固定片をさらに備えてもよい。固定片によってスラットを固定することができるため、スラット固定装置をぐらつくことなくスラットに固定することができる。
【００１４】
また、前記ラダーコードの縦コードが挿通する挿通部を備え、前記第２係止部は前記挿通部を挿通した前記縦コードを係止するようにしてもよい。挿通部に縦コードを挿通させるだけで、縦コードを第２係止部に係止させることができる。
【発明の効果】
【００１５】
本発明のブラインド用スラット固定装置によれば、ラダーコードの前後の縦コードが相対移動して中段コードが傾動するときに、スラットの傾動動作に遅延が生じず十分な遮蔽性が得られる。本発明のその他の効果については、後述する発明を実施するための形態においても説明する。
【図面の簡単な説明】
【００１６】
【図１】第１の実施形態にかかるブラインド用スラットクリップ１００を実施したブラインド１０の正面図である。
【図２】スラットクリップ１００をスラットに取り付けた状態を示すブラインド１０の部分側面図であり、（ａ）はスラット水平状態を示す図であり、（ｂ）はスラット全閉状態を示す図である。
【図３】スラット１６をラダーコード１４に支持させた状態を示す図であり、（ａ）は平面図であり、（ｂ）は（ａ）のＢ−Ｂ断面図である。
【図４】スラットクリップ１００を説明するための図であり、（ａ）は斜視図であり、（ｂ）は平面図である。
【図５】スラットクリップ１００をスラットに取り付けた状態を説明するための図であり、（ａ）は斜視図であり、（ｂ）は（ａ）を矢印Ｘ方向から見た側面図であり、（ｃ）は（ａ）のＡ−Ａ断面図である。
【図６】ラダーコード１４の傾動時の状態を模式的に示す側面図であり、（ａ）はスラット１６が傾斜した状態を示す図であり、（ｂ）は（ａ）の状態からラダーコード１４をスラット水平方向に傾動させている状態を示す図である。
【図７】従来のスラットクリップ５００を用いた場合のラダーコード５４の傾動時の状態を模式的に示す側面図であり、（ａ）はスラット５６が傾斜した状態を示す図であり、（ｂ）は（ａ）の状態からラダーコード５４をスラット水平方向に傾動させている状態を示す図である。
【図８】第１の実施形態のスラットクリップ１００の変形例を説明するための図であり、（ａ）は斜視図であり、（ｂ）は、スラット１６をラダーコード１４に支持した状態を示す断面図である。
【図９】第２の実施形態のブラインド２０を説明するための図であり、（ａ）はスラット２６をスラットクリップ２００でラダーコード２４に係止した状態を示す平面図あり、（ｂ）は（ａ）のＣ−Ｃ断面図である。
【図１０】第３の実施形態のブラインド３０を説明するための図であり、（ａ）はスラットクリップ３００の斜視図であり、（ｂ）は、スラット３６をラダーコード３４に支持したスラット３６をスラットクリップ３００で係止した状態を示す平面図である。
【図１１】第４の実施形態のブラインド４０を説明するための図であり、（ａ）はスラット４６をラダーコード４４に支持した状態を示す平面図あり、（ｂ）は（ａ）のＤ−Ｄ断面図である。
【発明を実施するための形態】
【００１７】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１８】
（第１の実施形態）
本実施形態のブラインド１０について、図１〜図３を参照しながら説明する。図１は、本実施形態のブラインド１０の正面図である。図２は、スラットクリップ１００をスラットに取り付けた状態を示すブラインド１０の部分側面図であり、（ａ）はスラット水平状態を示す図であり、（ｂ）はスラット全閉状態を示す図である。図３は、スラット１６をラダーコード１４に支持させた状態を示す図であり、（ａ）は平面図であり、（ｂ）は（ａ）のＢ−Ｂ断面図である。
【００１９】
ブラインド１０は、図１及び図２に示したように、図示していない窓枠等に固定されるヘッドボックス１２と、ヘッドボックス１２から傾動可能に垂下するラダーコード１４と、ラダーコード１４に整列状態に支持される多数のスラット１６と、ラダーコード１４に支持された最上段のスラット１６に取り付けられ、ラダーコード１４とスラット１６とを固定するスラットクリップ１００と、ラダーコード１４の下端が連結されるボトムレール１８と、ヘッドボックス１２からスラット１６の側縁に沿って昇降可能に垂下し下端がボトムレール１８に連結される昇降コード２１と、ヘッドボックス１２の一端から垂下し、ラダーコード１４と昇降コード２１を操作するための操作コード２２と、を備えて構成される。
【００２０】
ヘッドボックス１２内には、図１に示したように、操作コード２２によって回転操作される回転軸２５が長手方向に設けられている。回転軸２５には、回転ドラム２７及び昇降ドラム２８が貫通しており、回転軸２５が回転すると回転ドラム２７が一体回転し、その回転が昇降ドラム２８に伝達される。
【００２１】
回転ドラム２７には、ラダーコード１４の上端が連結されている。ラダーコード１４が回転ドラム２７に巻き取り及び巻き解かれることによってスラット１６が傾動する。ラダーコード１４は、回転ドラム２７のある範囲の回転に追随して傾動し、また、それ以上の回転ドラム２７の回転に対してはスリップして追随しないようになっている。また、昇降ドラム２８には、昇降コード２１の上端が連結されている。昇降コード２１が昇降ドラム２８に巻き取り及び巻き解かれることによってスラット１６が昇降する。
【００２２】
ラダーコード１４は、図２に示したように、前後の縦コード１４ａと、前後の縦コード１４ａ同士を連結する中段コード１４ｂとからなる。前後の縦コード１４ａは、スラット１６の前後縁に沿って配置される。中段コード１４ｂは、２本の横コード１４ｂ−１、１４ｂ−２から形成される。中段コード１４ｂは、図３（ｂ）に示したように、２本の横コード１４ｂ−１、１４ｂ−２の上下を入れ替えることで、前後の縦コード１４ａ付近の横コード１４ｂ−１、１４ｂ−２が交差される。そして、上下を入れ替えられた上の横コード１４ｂ−１がスラット１６の上面に沿って配され、下の横コード１４ｂ−２がスラット１６の下面に沿って配されるように上下の横コード１４ｂ−１、１４ｂ−２の間に挿入されたスラット１６を支持する。上の横コード１４ｂ−１は、下の横コード１４ｂ−２よりも下方で縦コード１４ａに連結され、下の横コード１４ｂ−２は、上の横コード１４ｂ−１よりも上方で縦コード１４ａに連結された状態になる。上の横コード１４ｂ−１には弛みが生じ、下の横コード１４ｂ−２にはスラット１６の荷重がかかる。
【００２３】
スラット１６は、図３に示したように、中段コード１４ｂの上下の横コード１４ｂ−１、１４ｂ−２の間に挿入されてラダーコード１４に支持されている。ラダーコード１４の最上段の中段コード１４ｂに支持されているスラット１６は、スラットクリップ１００によってラダーコード１４に固定されている。スラットは天然木により構成される木製のスラットやアルミ製のスラットがある。本実施形態では、スラット１６は、木製のスラットを例にとって説明する。スラット１６の側縁には、図３（ａ）に示したように、ラダーコード１４や昇降コード２１が挿通する切欠き１６ａが設けられている。
【００２４】
（スラットクリップ１００）
次に、本実施形態の特徴的な構成要素であるスラットクリップ（スラット固定装置）１００について、主に図４及び図５を参照しながら説明する。図４は、スラットクリップ１００を説明するための図であり、（ａ）は斜視図であり、（ｂ）は平面図である。図５は、スラットクリップ１００をスラット１６に取り付けた状態を説明するための図であり、（ａ）は斜視図であり、（ｂ）は（ａ）を矢印Ｘ方向から見た側面図であり、（ｃ）は（ａ）のＡ−Ａ断面図である。
【００２５】
スラットクリップ１００は、スラット１６に取り付けられ、ラダーコード１４の中段コード１４ｂをスラット１６に係止するためのものである。本実施形態では、スラットクリップ１００は、前述のように、最上段の中段コード１４ｂに支持されるスラット１６に取り付けられてスラット１６とラダーコード１４とを固定する。
【００２６】
スラットクリップ１００は、図４に示したように、スラット１６の下面を支持する下の横コード１４ｂ−２を係止する第１係止部１１０と、ラダーコード１４の縦コード１４ａを係止する第２係止部１２０と、スラット１６の側縁が当接する支持壁１３０と、支持壁１３０からスラット１６側に突出してスラット１６を固定する固定片１４０と、スラット１６の上面に沿って配される横コード１４ｂ−１を係止する第３係止部１５０と、を備えて構成される。なお、スラットクリップ１００は、左右対称に構成されている。
【００２７】
（第１係止部１１０）
第１係止部１１０は、スラット１６の一方の面に対面して配置され、固定片１４０とともにスラット１６を挟持するものである。第１係止部１１０は、図４に示したように、略Ｍ字状の形状をしており、スラット１６の幅方向全長に渡る幅寸法を有する。第１係止部１１０は、薄い平板状であり、略Ｍ字の左右方向に拡縮可能である。第１係止部１１０は、図５に示したように、スラット１６の下面側に配置される。スラット１６の下面側には、図３（ｂ）に示したように、中段コード１４ｂの下の横コード１４ｂ−２が配置されるため、第１係止部１１０によって下の横コード１４ｂ−２が係止される。
【００２８】
（第２係止部１２０）
第２係止部１２０は、ラダーコード１４の縦コード１４ａを垂下方向に沿って係止するものである。第２係止部１２０は、第１係止部１１０の幅方向の両側端部から垂直方向に延びる後述する支持壁１３０の上端に設けられている。第２係止部１２０は、支持壁１３０の側端部からスラット１６の幅方向（短手方向）に突出して形成されている。第２係止部１２０には、図３に示したように、ラダーコード１４の縦コード１４ａが挿通する挿通部１２２が挿通しており、挿通部１２２の周りの壁部によって第２係止部が構成される。
【００２９】
（支持壁１３０）
支持壁１３０は、図５に示したように、スラット１６の側縁が当接するものである。支持壁１３０は、第１係止部１１０の幅方向の両側端部において略Ｍ字の上側から垂直方向に延びる第１支持壁１３２と、略Ｍ字の下側から垂直方向にそれぞれ延びる第２支持壁１３４とからなる。第１支持壁１３２の上端には第２係止部１２０が設けられる。第２支持壁１３４の上端からは後述する第２固定片１４４がスラット１６側に張り出して設けられている。支持壁１３０は、スラット１６の両側部に当接し、スラット１６の短手方向への移動を規制する。
【００３０】
（固定片１４０）
固定片１４０は、第１係止部１１０との間にスラット１６を挟んで固定するものである。固定片１４０は、図４に示したように、第１支持壁１３２からスラット１６側に突出する第１固定片１４２と、第２支持壁１３４からスラット１６側に突出する第２固定片１４４とからなる。第１固定片１４２と第２固定片１４４とは同様の形状をしているため、第１固定片１４２と第２固定片１４４に共通の内容を説明する場合は、固定片１４０として説明する。固定片１４０の下面は、図５（ｂ）に示した第１固定片１４２のように、第１係止部１１０方向に山形に突出している。第１固定片１４２の下面は、図５（ｃ）に示したように、後述する第３係止部１５０よりも第１係止部１１０の方向に張り出している。
【００３１】
（第３係止部１５０）
第３係止部１５０は、図３に示したように、スラット１６の上面に沿って配される上の横コード１４ｂ−１を係止するものである。第３係止部１５０は、図４に示したように、第１支持壁１３２からスラット１６側に突出している。第３係止部１５０は、スラット１６の長手方向において第１固定片１４２に隣接している。また、第３係止部１５０は、スラット１６の短手方向において第２係止部１２０に隣接している。なお、本実施形態では、第３係止部１５０、第１固定片１４２及び第２係止部１２０は、共通の係止片によって構成されているが、それぞれ別体でもよい。
【００３２】
第３係止部１５０の下面は、図３（ｂ）に示したように、第１固定片１４２の下面よりも上方に配置されているため、スラット１６の上面との間に隙間が形成されている。第３係止部１５０の下面とスラット１６の上面との間の隙間に上の横コード１４ｂ−１が配置されて、係止される。第３係止部１５０は、スラット１６の切欠き１６ａが設けられていない側部の上面において上の横コード１４ｂ−１を係止する。
【００３３】
以上、本実施形態のスラットクリップ１００の構成について説明した。次に、ラダーコード１４の傾動時のラダーコード１４とスラット１６及びスラットクリップ１００の状態について図６及び図７を参照しながら説明する。図６は、ラダーコード１４の傾動時の状態を模式的に示す側面図であり、（ａ）はスラット１６が傾斜した状態を示す図であり、（ｂ）は（ａ）の状態からラダーコード１４をスラット水平方向に傾動させている状態を示す図である。図７は、従来のブラインド用スラット固定装置６００を用いた場合のラダーコード５４の傾動時の状態を模式的に示す側面図であり、（ａ）はスラット５６が傾斜した状態を示す図であり、（ｂ）は（ａ）の状態からラダーコード５４をスラット水平方向に傾動させている状態を示す図である。
【００３４】
本実施形態のブラインド１０では、スラットクリップ１００の第１係止部１１０が下の横コード１４ｂ−２を、第３係止部１５０が上の横コード１４ｂ−１をそれぞれ係止しているため、中段コード１４ｂの弛みの影響を受けにくくなっている。また、スラットクリップ１００の第２係止部１２０が縦コード１４ａを係止しているため、縦コード１４ａの動きがスラット１６に伝達されやすくなっている。よって、図６（ａ）に示すスラット１６が傾斜した状態からラダーコード１４をスラット水平方向に傾動させると、図６（ｂ）に示したように、ラダーコード１４の傾動に対してスラット１６がすぐに追随して回転を始める。
【００３５】
一方、一般的な従来のブラインド５０では、図７に示したように、スラットクリップ５００は、本実施形態のスラットクリップ１００の第１係止部１１０に相当する第１係止部５１０しか有していない。このため、スラットクリップ５００はラダーコード５４の下の横コード５４ｂ−２のみを係止し、上の横コード５４ｂ−１は係止しない。よって、図７（ａ）に示したように、スラット５６が傾斜した状態では中段コード５４ｂに弛みが生じている。また、ラダーコード５４の縦コード６４ａも係止しないため、縦コード６４ａの移動がスラットクリップ５００を介してスラット５６に直接伝達されない。
【００３６】
このため、このようなスラット５６が傾斜した状態からラダーコード５４をスラット水平方向に傾動させると、図７（ｂ）に示したように、ラダーコード５４の傾動によって、まず中段コード５４ｂ（主に上の横コード５４ｂ−１）の弛みが吸収される。そして、中段コード５４ｂの弛みがなくなった後にスラット５６が回転を始める。このように、従来のスラットクリップ５００では、ラダーコード５４の傾動がすぐにスラット５６の回転に伝達されない。
【００３７】
（第１の実施形態の効果）
以上説明したように、本実施形態によれば、第２係止部１２０がラダーコード１４の傾動をスラット１６に対して効率よく伝達することができ、ラダーコード１４傾動時のスラット１６の回転追随性が向上する。
【００３８】
また、第２係止部１２０は、ラダーコード１４の縦コード１４ａを垂下方向に沿って係止するため、縦コード１４ａは第２係止部１２０に係止されながらも直線的に導かれるため、上下方向のスラット１６の間隔が不均一化することを防止できる。
【００３９】
また、挿通部１２２に縦コード１４ａを挿通させるだけで、縦コード１４ａを第２係止部１２０に係止させることができる。
【００４０】
また、第３係止部１５０がスラット１６の上面にて上の横コード１４ｂ−１を係止することで、スラット１６を上下の横コード１４ｂ−１、１４ｂ−２間に通した（中段通し）仕様において、上下の横コード１４ｂ−１、１４ｂ−２それぞれが第１係止部１１０と第３係止部１５０によってスラット１６に係止される。このため、ラダーコード１４の傾動時にスラット１６と上下の横コード１４ｂ−１、１４ｂ−２とが一体に回転し、上の横コード１４ｂ−１の端部には下の横コード１４ｂ−２よりも下方へ引き下げる力が作用し、下の横コード１４ｂ−２の端部には上の横コード１４ｂ−１よりも上方へ引き上げる力が作用するため、スラット１６の遮蔽性が向上する。
【００４１】
また、第２係止部１２０と第３係止部１５０とを共通の係止片によって構成することで、スラットクリップ１００の構造を簡素化できる。また、スラットクリップ１００は、縦コード１４ａと中段コード１４ｂとの連結部付近を係止することになるため、ラダーコード１４傾動時のスラット１６の回転追随性がさらに向上する。
【００４２】
（第１の実施形態の変形例）
第１の実施形態のスラットクリップ１００の変形例について、図８を参照しながら説明する。図８は、第１の実施形態のスラットクリップ１００の変形例を説明するための図であり、（ａ）は斜視図であり、（ｂ）は、スラット１６をラダーコード１４に支持した状態を示す断面図である。
【００４３】
本変形例のスラットクリップ１００は、図８に示したように、支持壁１３０’が第１の実施形態の支持壁１３０と異なっている。支持壁１３０’は、第１の実施形態の第１支持壁１３２を第２係止部１２０と対向する位置までスラット長手方向に延設した第１支持壁１３２’と第２支持壁１３４とによって構成されている。第１支持壁１３２’は、第１係止部１１０の幅方向の両側端部において略Ｍ字の上側から挿通部１２２の下方まで延びている。このように、第１支持壁１３２’を第１の実施形態の第１支持壁１３２より大きくしたことによって、スラットクリップ１００の強度を保つことができる。
【００４４】
（第２の実施形態）
第２の実施形態のブラインド２０について、図９を参照しながら説明する。図９は、本実施形態のブラインド２０を説明するための図であり、（ａ）はスラット２６をスラットクリップ２００でラダーコード２４に係止した状態を示す平面図あり、（ｂ）は（ａ）のＣ−Ｃ断面図である。本実施形態のブラインド２０は、スラットクリップ２００は第１の実施形態のスラットクリップ１００と同様であるが、スラットクリップ２００によるスラット２６のラダーコード２４への係止の方法が第１の実施形態と異なるものである。本実施形態では、上記第１の実施形態と異なる点を中心に説明する。実質的に同一の機能構成を有する構成要素については、同一の符号を付することにより重複説明を省略する。
【００４５】
本実施形態のラダーコード２４、スラットクリップ２００は、第１の実施形態のラダーコード１４、スラットクリップ１００と同様のものを用いることができるため、説明を省略する。
【００４６】
本実施形態のブラインド２０は、図９に示したように、スラット２６の中央に設けた挿通孔２６ａに昇降コードを挿通するタイプのブラインドである。スラット２６は、ラダーコード２４の中段コード２４ｂに載置されており、スラットクリップ２００によってラダーコード２４に係止されている。縦コード２４ａは、図９（ａ）に示したように、スラットクリップ２００の挿通部２２２に挿通して第２係止部２２０によって係止されている。中段コード２４ｂは、図９（ｂ）に示したように、第１の実施形態のブラインド１０とは異なり、スラット２６の下面にのみ配置されているため、第１係止部２１０のみによって係止されている。
【００４７】
（第２の実施形態の効果）
以上説明したように、本実施形態によれば、スラット２６を中段コード２４ｂに載置した構成のブラインド２０でも、第２係止部２２０がラダーコード２４の縦コード２４ａを係止するため、ラダーコード２４が傾動したときのスラット２６の回転追随性が向上する。
【００４８】
（第３の実施形態）
第３の実施形態のブラインド３０について、図１０を参照しながら説明する。図１０は、本実施形態のブラインド３０を説明するための図であり、（ａ）はスラットクリップ３００の斜視図であり、（ｂ）は、スラット３６をラダーコード３４に支持したスラット３６をスラットクリップ３００で係止した状態を示す平面図である。本実施形態のブラインド３０は、スラットクリップ３００の構成が第１の実施形態のスラットクリップ１００と異なるものである。本実施形態では、上記第１の実施形態と異なる点を中心に説明する。実質的に同一の機能構成を有する構成要素については、同一の符号を付することにより重複説明を省略する。
【００４９】
本実施形態のラダーコード３４、スラット３６は、第１の実施形態のラダーコード１４、スラット１６と同様のものを用いることができるため、説明を省略する。
【００５０】
本実施形態のスラットクリップ３００は、図１０（ａ）に示したように、第１支持壁３３２と第２支持壁３３４との間に第１係止部３１０に凹部３６０が設けられている点が、第１の実施形態のスラットクリップ１００と異なっており、その他の構成は第１の実施形態のスラットクリップ１００と同様である。凹部３６０は、図１０（ｂ）に示したように、スラットクリップ３００をスラット３６に取り付けたときにスラット３６の切欠き３６ａと重なる位置にあり、切欠き３６ａと同様の大きさである。スラット３６をラダーコード３４にスラットクリップ３００で係止する構成は、第１の実施形態と同様である。
【００５１】
（第３の実施形態の効果）
以上説明したように、本実施形態によれば、ブラインド３０の高さ方向途中位置では、スラット３６の切欠き３６ａに昇降コードが挿通されるが、そのような位置のスラット３６にスラットクリップ１００を取り付けた場合であっても、切欠き３６ａに挿通させた昇降コードがスラットクリップ１００の凹部３６０に配置されるため、スラットクリップ１００が昇降コードの移動の邪魔にならない。
【００５２】
（第４の実施形態）
第４の実施形態のブラインド４０について、図１１を参照しながら説明する。図１１は、本実施形態のブラインド４０を説明するための図であり、（ａ）はスラット４６をラダーコード４４に支持した状態を示す平面図あり、（ｂ）は（ａ）のＤ−Ｄ断面図である。本実施形態のブラインド４０は、スラットクリップ４００は第１の実施形態のスラットクリップ１００と同様であるが、スラットクリップ４００によるスラット４６のラダーコード４４への係止の方法が第１の実施形態と異なるものである。本実施形態では、上記第１の実施形態と異なる点を中心に説明する。実質的に同一の機能構成を有する構成要素については、同一の符号を付することにより重複説明を省略する。
【００５３】
本実施形態のラダーコード４４、スラットクリップ４００は、第１の実施形態のラダーコード１４、スラットクリップ１００と同様のものを用いることができるため、説明を省略する。
【００５４】
本実施形態のブラインド４０は、図１１に示したように、スラットクリップ４００の第１係止部４１０がスラット４６の上面に配置されるように、ラダーコード４４に支持されたスラット４６に取り付けられるものである。ラダーコード４４の上の横コード４４ｂ−１は、図１１（ａ）に示したように、スラット４６の上面において、スラットクリップ４００の第１係止部４１０に係止されている。
【００５５】
縦コード４４ａは、挿通部４２２を挿通して、第２係止部４２０に係止されている。下の横コード４４ｂ−２は、図１１（ｂ）に示したように、スラット４６の切欠き４６ａが設けられていない側部の下面において第３係止部４５０に係止されている。
【００５６】
（第４の実施形態の効果）
以上説明したように、本実施形態によれば、スラットクリップ４００の第１係止部４１０がスラット４６の上面に配置されるため、スラット４６を全閉にしたとき、スラットクリップ４００が室内側に露出する面が減り、意匠性が向上する。
【００５７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５８】
例えば、上記第１の実施形態では、第２係止部１２０は、ラダーコード１４の縦コード１４ａを垂下方向に沿って係止するようにしたが、本発明はこの例に限定されない。第２係止部がラダーコードの傾動をスラットに対して効率よく伝達することができ、ラダーコード傾動時のスラットの回転追随性が向上すれば、任意の構成に設計にすることができる。例えば、第２係止部は、縦コードを水平方向に係止してもよい。第２〜第４の実施形態も同様である。
【００５９】
また、上記第１の実施形態では、スラット１６側縁が当接する支持壁１３０と、支持壁１３０からスラット１６側に突出してスラット１６を固定する固定片１４０を備えた構成としたが、本発明はこの例に限定されない。スラット固定装置をぐらつくことなくスラットに固定することができれば、任意の設計にすることができる。例えば、支持壁と固定片の一方又は両方の機能を有する別部品をスラット及びスラットクリップに取り付けてもよい。第２〜第４の実施形態も同様である。
【００６０】
また、上記第１の実施形態では、ラダーコードの縦コードは第２係止部を挿通する挿通部を挿通する構成としたが、本発明はこの例に限定されない。第２係止部が縦コードを係止することができれば、任意の設計にすることができる。例えば、第２係止部が挿通孔のような孔ではなく単なる壁面であり、縦コードが第２係止部の壁面に沿って当接しながら垂下することによって第２係止部に係止されるようにしてもよい。第２〜第４の実施形態も同様である。
【００６１】
また、上記第１の実施形態では、スラット１６の上面に配される横コード１４ｂ−１を第３係止部１５０によって係止したが、本発明はこの例に限定されない。ラダーコード傾動時のスラットの回転追随性が向上すれば、例えば、第３係止部を設けないなど任意の設計にすることができる。第２〜第４の実施形態も同様である。
【００６２】
また、上記第１の実施形態では、第２係止部１２０と第３係止部１５０とを共通の係止片によって構成したが、本発明はこの例に限定されない。ラダーコード傾動時のスラットの回転追随性が向上すれば、任意の設計にすることができる。例えば、第２係止部と第３係止部とは別々の係止片としてもよい。第２〜第４の実施形態も同様である。
【符号の説明】
【００６３】
１０、２０、３０、４０  ブラインド
１２  ヘッドボックス
１４、２４、３４、４４  ラダーコード
１４ａ、２４ａ、３４ａ、４４ａ  縦コード
１４ｂ、２４ｂ、３４ｂ、４４ｂ  中段コード
１４ｂ−１、３４ｂ−１、４４ｂ−１  上の横コード
１４ｂ−２、３４ｂ−２、４４ｂ−２  下の横コード
１６、２６、３６、４６  スラット
１６ａ、３６ａ、４６ａ  切欠き
２６ａ  挿通孔
１８  ボトムレール
２１  昇降コード
２２  操作コード
２５  回転軸
２７  回転ドラム
２８  昇降ドラム
１００、２００、３００、４００  スラットクリップ（スラット固定装置）
１１０、２１０、３１０、４１０  第１係止部
１２０、２２０、３２０、４２０  第２係止部
１２２、２２２、３２２、４２２  挿通部
１３０、１３０’、２３０、３３０、４３０  支持壁
１３２、１３２’、３３２  第１支持壁
１３４、３３４  第２支持壁
１４０  固定片
１４２  第１固定片
１４４  第２固定片
１５０、３５０、４５０  第３係止部
３６０  凹部
【図１】
2020180434.tif 000003
【図２】
2020180434.tif 000004
【図３】
2020180434.tif 000005
【図４】
2020180434.tif 000006
【図５】
2020180434.tif 000007
【図６】
2020180434.tif 000008
【図７】
2020180434.tif 000009
【図８】
2020180434.tif 000010
【図９】
2020180434.tif 000011
【図１０】
2020180434.tif 000012
【図１１】
2020180434.tif 000013